(57)【特許請求の範囲】
【請求項１】
長方形平面形状を有する太陽電池モジュールの長辺をモジュール長辺として、２つのモジュール長辺のうちの第１辺を保護する第１梱包部と前記第１辺の対辺となる第２辺を保護する第２梱包部とで構成され、
前記第１梱包部と前記第２梱包部は、それぞれ、
前記モジュール長辺に沿って延び第１主面側または第２主面側を保護する第１壁部と、
前記モジュール長辺に沿って延び前記第２主面側または前記第１主面側を保護し、前記第１壁部に向かい合う第２壁部と、
前記第１壁部と前記第２壁部を接続して前記太陽電池モジュールの厚さ方向の側面を保護し、前記モジュール長辺に沿って真っ直ぐ延びる側壁部と、
第１壁部の長手方向に沿った両端の張出部分と、
で六面体の５面を形成し、残る１面は開口して前記モジュール長辺が挿入される開口付き箱型の立体的形状を有し、
前記第１壁部は、
前記側壁部を介して前記第２壁部に接続される側壁部側の長辺であって前記第１壁部における固定端側長辺と、
前記モジュール長辺が挿入される前記開口の側の端部に相当する長辺であって前記第１壁部における自由端側長辺と、
の２つの第１壁部長辺を備え、
前記第１梱包部と前記第２梱包部の少なくとも一方は、
前記第１壁部の前記固定端側長辺と前記自由端側長辺のうち前記自由端側長辺は、前記第１壁部長辺の長手方向に沿った両端部から中央部に向かって曲線状に変化して前記第１壁部の幅寸法を短縮し、前記第１壁部の前記固定端側長辺と前記自由端側長辺の間の幅寸法は、前記第１壁部長辺の長手方向に沿った前記両端部における幅寸法よりも前記中央部における幅寸法が短い、太陽電池モジュールの梱包材。
【請求項２】
前記第１梱包部と前記第２梱包部のうちで、前記第１壁部の前記幅寸法が前記第１壁部長辺の長手方向に沿って変化する方の梱包部は、
前記第１壁部の前記自由端側長辺の前記両端部のそれぞれの角部に丸みが付けられる、請求項１に記載の太陽電池モジュールの梱包材。
【請求項３】
前記太陽電池モジュールの前記第２主面上に端子ボックスが設けられる、請求項１または請求項２に記載の太陽電池モジュールの梱包材。
【発明の詳細な説明】
【技術分野】
【０００１】
本発明は、太陽電池モジュールの梱包材に関する。
【背景技術】
【０００２】
特許文献１には、略矩形の太陽電池モジュールの梱包材として、略矩形形状の太陽電池モジュールの２つの長辺を梱包する第１梱包材片と第２梱包材片で構成されることが述べられている。第１梱包材片と第２梱包材片は実質的に同じ形状である。これらは、段ボール板から第１端壁部と第１主壁部と側壁部と第２主壁部と第２端壁部を構成する形状に切り出され、それぞれの壁部の接続箇所で折り曲げられ、第１端壁部の凸部を第２主壁部のスリットに嵌め込まれ、第２端壁部の凸部を第１主壁部のスリットに嵌め込まれて固定され、太陽電池モジュールの長辺が嵌りこむ開口を有する箱型形状に成形される。
【先行技術文献】
【特許文献】
【０００３】
【特許文献１】特開２０１３−２４４９８１号公報
【発明の概要】
【発明が解決しようとする課題】
【０００４】
特許文献１と同様な梱包材を作って太陽電池モジュールを梱包し、これをローラ式の搬送装置で搬送すると、太陽電池モジュールの長辺を覆う第１主壁部または第２主壁部の自由辺が撓み、ローラに当たって搬送できなくなることがある。
【０００５】
本発明は、梱包された太陽電池モジュールを良好に搬送することを可能にする太陽電池モジュールの梱包材を提供することである。
【課題を解決するための手段】
【０００６】
本発明に係る太陽電池モジュールの梱包材は、長方形平面形状を有する太陽電池モジュールの長辺をモジュール長辺として、２つのモジュール長辺のうちの第１辺を保護する第１梱包部と第１辺の対辺となる第２辺を保護する第２梱包部とで構成され、第１梱包部と第２梱包部は、それぞれ、モジュール長辺に沿って延び第１主面側または第２主面側を保護する第１壁部と、モジュール長辺に沿って延び第２主面側または第１主面側を保護し、第１壁部に向かい合う第２壁部と、第１壁部と第２壁部を接続しモジュール長辺に沿って真っ直ぐ延びる側壁部と、第１壁部の長手方向に沿った両端の張出部分と、で六面体の５面を形成し、残る１面は開口してモジュール長辺が挿入される開口付き箱型の立体的形状を有し、第１壁部は、側壁部を介して第２壁部に接続される側壁部側の長辺であって第１壁部における固定端側長辺と、モジュール長辺が挿入される開口の側の端部に相当する長辺であって第１壁部における自由端側長辺と、の２つの第１壁部長辺を備え、
第１梱包部と第２梱包部の少なくとも一方は、
第１壁部の固定端側長辺と自由端側長辺のうち自由端側長辺は、第１壁部長辺の長手方向に沿った両端部から中央部に向かって曲線状に変化して第１壁部の幅寸法を短縮し、第１壁部の固定端側長辺と自由端側長辺の間の幅寸法は、第１壁部長辺の長手方向に沿った両端部における幅寸法よりも中央部における幅寸法が短い。
【発明の効果】
【０００７】
上記構成によれば、梱包された太陽電池モジュールを良好に搬送することができる。
【図面の簡単な説明】
【０００８】
【図１】本実施の形態の梱包材で梱包された太陽電池モジュールを示す図である。
【図２】図１について、太陽電池モジュールと梱包材に分解した図である。
【図３】図２の梱包材について、所定の形状の素材板を梱包材の立体的形状に成形する前の中間形態を示す図である。
【図４】図３の梱包材の展開図である。
【図５】本実施の形態の梱包材の効果を従来技術の梱包材と比較して示す図である。
【図６】図５の断面図で、図６（ａ）は図５のＡ−Ａ線に沿った断面図であり、（ｂ）はＢ−Ｂ線に沿った断面図である。
【図７】本実施の形態の変形例に係る梱包材で梱包された太陽電池モジュールを示す図である。
【発明を実施するための形態】
【０００９】
以下に図面を用いて、本実施の形態を詳細に説明する。以下では、第１壁部を太陽電池モジュールの受光面側すなわち第１主面側を保護するものとして述べるが、これは説明のための例示であって、第１壁部を太陽電池モジュールの裏面側すなわち第２主面側を保護するものとしてもよい。
【００１０】
以下で述べる材質、寸法、太陽電池セルの数等は説明のための例示であって、太陽電池モジュールの仕様に応じ、適宜変更が可能である。以下では、全ての図面において対応する要素には同一の符号を付し、重複する説明を省略する。
【００１１】
図１は、梱包済み太陽電池モジュール１０の構成図である。梱包済み太陽電池モジュール１０は、梱包されていない太陽電池モジュール１２と、梱包材１３から構成される。図２は、梱包済み太陽電池モジュール１０を、梱包されていない太陽電池モジュール１２と、梱包材１３に分解した図である。以下では、梱包されていない太陽電池モジュール１２を単に太陽電池モジュール１２と呼ぶ。
【００１２】
太陽電池モジュール１０は、長方形平面形状を有し、複数の太陽電池セル１４を含む太陽電池積層体と、太陽電池積層体の外側端部を枠状に支持するフレーム１６と、受光面側である第１主面側とは反対側の裏面側である第２主面側に配置される端子ボックス１８と、端子ボックス１８から引き出される引出線１９を含んで構成される。図１において太陽電池モジュール１２の長辺方向と短辺方向と厚さ方向を示した。厚さ方向については、第１主面側の方向と第２主面側の方向を示した。図１は、太陽電池モジュール１２の第１主面側から見た斜視図で、端子ボックス１８と引出線１９は裏側に隠れているので、これらは破線で示した。
【００１３】
複数の太陽電池セル１４を含む積層体は、複数の太陽電池セル１４を直列接続したストリングを、受光面側の充填材と保護部材、セル間配線材と渡り配線材、裏面側の充填材と保護部材で挟んで積層したものである。ストリングは、複数の太陽電池セル１４を平面上で縦横に配列し、セル間配線材と渡り配線材で複数の太陽電池セル１４を直列接続したものである。ここでは、太陽電池モジュール１２の縦方向である長辺方向に沿って１２行、長辺方向に直交する横方向である短辺方向に沿って６列の合計７２個の太陽電池セルが直列接続されてストリングが構成される。
【００１４】
隣接する太陽電池セル１４の間には適当な間隔が設けられ、その間隙はセル間配線材または渡り配線材で接続される。図１、図２では、複数の太陽電池セル１４の配列が分かる程度に止め、セル間配線材または渡り配線材の図示を省略し、隣接する太陽電池セル１４の間の間隔の表示も省略した。
【００１５】
太陽電池セル１４、受光面側の充填材と保護部材、裏面側の充填材と保護部材については、公知のものを用いることができるので、詳細な説明を省略する。
【００１６】
フレーム１６は、積層体の外側端部を保持し、太陽電池モジュール１０の全体の外形を形作る外枠となる部材である。端子ボックス１８は、７２個の太陽電池セル１４が直列接続されたストリングの両端子を２本の引出線１９に接続する端子接続ボックスである。２本の引出線１９の間の電圧は、１個の太陽電池セル１４の端子間電圧の７２倍の電圧である。
【００１７】
梱包材１３は、太陽電池モジュール１２の２つの長辺をそれぞれ保護する２つの梱包部で構成される。太陽電池モジュール１２の２つの長辺のうち、第１長辺側を保護する第１梱包部２０について説明し、その後で、もう１つの梱包材について、第１梱包部２０との相違点を述べる。太陽電池モジュール１０における第１長辺と第２長辺の区別は、第１主面側である受光面側から見て、端子ボックス１８を上方側に配置した状態で端子ボックス１８の右側に位置する長辺が第１長辺であり、端子ボックス１８の左側に位置する長辺が第２長辺である。図２には、短辺方向について、右側方向である第１長辺側の方向と、左側方向である第２長辺側の方向を示した。
【００１８】
第１梱包部２０は、素材板を所定の形状に切り出した１枚の展開形状板を折り曲げ、係止によって立体的形状としたものである。素材板は段ボール板である。段ボール板は凹凸を有する波形材の上下を平坦板材で挟んで接着したもので、厚さ寸法は、約１〜２ｍｍである。展開形状の詳細については、図４を用いて後述する。
【００１９】
第１梱包部２０は、第１壁部２２と第２壁部２４と側壁部２６と第１壁部２２の両端の張出部分で六面体のうちの５面を形成し、残る１面が開口する開口付き箱型の立体的形状を有する。この開口に太陽電池モジュール１０の第１長辺の側が挿入される。
【００２０】
第１壁部２２は、太陽電池モジュール１２の第１長辺に沿って延び第１主面側を保護する壁部である。第２壁部２４は、太陽電池モジュール１２の長辺に沿って延び第２主面側を保護し、第１壁部２２に向かい合う壁部である。側壁部２６は、第１壁部２２と第２壁部２４を接続し、太陽電池モジュール１２の第１長辺に沿って真っ直ぐ延びて太陽電池モジュール１０の厚さ方向の側面を保護する壁部である。第１壁部２２の両端の張出部分については、図３、図４において後述する。ここでは、張出部分も含めて第１壁部２２として説明する。
【００２１】
第１壁部２２と側壁部２６と第２壁部２４が接続された１枚の素材板は、第１壁部２２と側壁部２６の接続箇所で９０度の角度で内側に折り曲げられ、さらに、側壁部２６と第２壁部２４との接続箇所で９０度の角度で内側に折り曲げられ、コの字形断面形状に成形される。コの字形断面形状の開口に、太陽電池モジュール１０の第１長辺の側が挿入される。
【００２２】
第１壁部２２は、矩形形状ではない。第１壁部２２の２つの長辺のうち側壁部側の長辺２８は、側壁部２６を介して第２壁部２４に接続されるので、第１壁部２２における固定端側の長辺となる。長辺２８は、側壁部２６が太陽電池モジュール１０の第１長辺に沿って真っ直ぐ延びているので、長辺２８は、その長手方向に沿って真っ直ぐ延びる。第１壁部２２におけるもう１つの長辺３０は、コの字形断面形状の開口側の端部に相当する長辺で、第１壁部２２における自由端側の長辺となる。長辺３０は、その長辺３０の長手方向に沿った両端部から中央部に向かって滑らかに変化する曲線形状を有する。曲線形状は、長辺３０の両端部から中央部に近づくにつれ、長辺２８側に、より近接するように変化する。
【００２３】
これにより、第１壁部の２つの長辺２８，３０の間の幅寸法は、その長辺の長手方向に沿った両端部における幅寸法Ｗ0よりも中央部における幅寸法Ｗ1が短くなる。すなわち、Ｗ1＜Ｗ0となる。（Ｗ0−Ｗ1）の大きさは、長辺３０において設定される曲線形状をどのようにするかで定めることができる。第１壁部２２は側壁部２６と共に、太陽電池モジュール１２の印刷表示面として用いられる。印刷表示面に記載される事項は、例えば、製品ＩＤ、製造メーカ名、寸法諸元、使用上の注意書等である。最小幅寸法となるＷ1は、後述する搬送装置による制約だけでなく、表示面の広さとして必要な面積に基づいて設定される。
【００２４】
寸法の一例を上げると、太陽電池モジュール１２の長辺の長さ寸法は、約５０ｃｍ〜２ｍ、短辺の長さ寸法は、長辺の長さ寸法のおよそ１／２、厚さ寸法ｔ0は、約３０ｍｍ〜４０ｍｍ、Ｗ0は、約９０ｍｍから１２０ｍｍ、Ｗ1は、約３０ｍｍ以上である。これは例示であり、太陽電池モジュール１２、梱包材１３の仕様によって、これ以外の寸法であっても構わない。
【００２５】
上記では、Ｗ1＜Ｗ0とする方法として、長辺３０を曲線形状とした。曲線形状としては、放物線形状、双曲線形状、半楕円的形状等の他に、滑らかに変化する任意の形状を用いることができる。また、図１では、長辺３０の幅寸法の変化は長辺３０の両端部から始まるものとして示したが、長辺３０の両端部から所定長さまではＷ0のままとしてもよい。
【００２６】
長辺３０を曲線形状とすることに代えて、長辺３０の両端部から中央部に近づくにつれ、直線状に変化して長辺２８側に、より近接するものとしてもよい。この場合に、長辺３０の両端部から所定長さまではＷ0のままとしてもよい。
【００２７】
第１壁部の自由端側の長辺３０の両端部のそれぞれの角部３２，３３には、先端が尖った鋭角形状とならないように、適当な丸みが付けられる。適当な丸みの一例として、丸みを付けないときの尖った先端を約５ｍｍ〜１０ｍｍ程度短くなる丸みとすることができる。
【００２８】
長辺３０における曲線形状と、角部３２，３３に設けられる適当な丸みは、梱包済み太陽電池モジュール１０を出荷等のために搬送する際に、搬送装置の搬送部に梱包材１３が引っ掛からないようにするためである。これらの作用効果については、図５、図６を用いて後述する。
【００２９】
係止部３４，３５は、素材板を折り曲げたものを第１梱包部２０の立体的形状に成形し、固定するために、第１壁部２２と第２壁部２４とを係止したものである。係止は、第１壁部２２の長手方向の両端部が延びた先端の凸部を、第２壁部２４のスリットに嵌め込むことで行われる。凸部とスリットの詳細は、図３、図４を用いて後述する。
【００３０】
切込持上部３６は、第２壁部２４の一部に切込線を設け、切込線に沿って切込を入れ、第２壁部から分離した部分を折り曲げて第１壁部２２側に持ちあげた部分である。持ち上げて立ち上がった壁面に穴が設けられる。この穴に端子ボックス１８から引き出された引出線１９が通されて固定される。すなわち、切込持上部３６は、引出線固定部である。
【００３１】
第１梱包部２０の厚さ方向の高さ寸法ｔ1は、太陽電池モジュール１２の厚さ寸法ｔ0よりも大きい値に設定される。第１梱包部２０のコの字形形状の開口寸法、つまり太陽電池モジュール１２が挿入される開口寸法ｔ2は、素材板である段ボール板の板厚の２倍分だけｔ1よりも小さい。したがって、ｔ1＞［ｔ2＝｛ｔ1−（段ボール板の厚さ寸法）×２｝］＞ｔ0である。
【００３２】
第１壁部２２は、自由端側の長辺である長辺３０は曲線形状であるのに対し、第２壁部２４の自由端側の長辺は、基本的に直線的形状であるが、切込持上部３６やその他の切込部等によって、直線的形状に凹凸が付加された形状である。第２壁部２４には、第１壁部２２における曲線形状や角部３２，３３における適当な丸みは設けられない。
【００３３】
以上が第１梱包部２０の構造の内容である。梱包材１３のもう１つの梱包部である第２梱包部４０は、太陽電池モジュール１２の２つの長辺のうちの第２長辺側を保護する。第２梱包部４０は、第１壁部４２と第２壁部４４と側壁部４６を有し、第１梱包部２０と太陽電池モジュール１２を挟んでほぼ対称形となる構造を有する。
【００３４】
第２梱包部４０は、第１梱包部２０と２つの点で相違がある。１つ目は、第１壁部４２の自由端側の長辺が曲線形状でなく、長辺方向に沿って真っ直ぐに延びることである。したがって、第１壁部４２の幅寸法は、長辺方向に沿った全領域でＷ0である。２つ目は、切込持上部３６が設けられないことである。もっとも、太陽電池モジュール１２の仕様における引出線１９の引出方向の設定によっては、第２梱包部４０に切込持上部３６を設けるものとしてよい。
【００３５】
図３は、第１梱包部２０と第２梱包部４０について、それぞれの係止部の係止を外し立方体形状となる前の中間形態を示す図を向い合せに配置して示す図である。図４は、第１梱包部２０の展開図と第２梱包部４０の展開図を向い合せに配置して示す図である。
【００３６】
第１梱包部２０と第２梱包部４０は、素材板である段ボール板から、図４に示す展開図の形状を切り出し、図４において破線で示した折曲線に沿って所定方向に折り曲げ、係止部で係止して、所定の立体的形状に成形される。図３は、折り曲げが行われ係止する前の中間形態を示す図である。図４には、段ボール板の凹凸波形で形成される空洞部の延びる方向４８を示した。段ボール板は、空洞部が短辺方向に沿って延びるようにして、図４で示す展開図の形状が切り出される。
【００３７】
第１梱包部２０において、第１壁部２２の長辺方向の両端部は太陽電池モジュール１２の長辺の長さに対応する長さよりもさらに延びる張出部分を有する。すなわち、第１壁部の両端部は、それぞれ、端壁部５０，５１とその先端の底面部５２，５３と、底面部５２，５３の最先端の凸部５４，５５を含んで構成される。図３に示すように、端壁部５０，５１は第１壁部２２との接続部で内側に折り曲げられ、底面部５２，５３は、端壁部５０，５１との接続部でさらに内側に折り曲げられる。
【００３８】
第１梱包部２０の第２壁部２４には、凸部５４，５５が嵌りこむ大きさのスリット５６，５７が設けられる。側壁部２６の長辺方向の両端部には、それぞれ補助壁部６０，６１が接続される。
【００３９】
第１梱包部２０が段ボール板の素材板から切り出された展開図の形状において、図４に破線で示される折曲線に沿って折り曲げ、第１壁部２２の先端の底面部５２，５３が第２壁部２４の底面側に沿うようにすると、底面部５２，５３の最先端の凸部５４，５５がスリット５６，５７の位置に来る。そこで、凸部５４，５５は、スリット５６，５７に嵌め込まれ、適当に折り曲げられて係止が行われ、係止部３４，３５となる。その際に、補助壁部６０，６１は、側壁部２６の両端部と端壁部５０，５１との間の隙間を覆う役割を果たす。
【００４０】
図４の展開図においては、切込持上部３６の切込前の状態が示される。切込線は実線で示され、天井壁部６２と持上壁部６４の側壁側が切り込まれる。持上壁部６４の根元部は第２壁部２４から切り離されずに折り曲げられるのみである。持上壁部６４と第２壁部２４とに跨って引出線１９が通される長穴６６が設けられる。
【００４１】
ここで、切込線に沿って切り込み、破線で示す折り曲げ線で折り曲げ、図２で示す持ち上げ形状に成形すると、持上壁部６４が第２壁部２４から分離して第１壁部２２側に立上り、天井壁部６２が第１壁部２２に向かい合う。長穴６６のうち、持上壁部６４に設けられる部分は第２壁部２４から立ち上がる部分穴となる。部分穴の大きさは、引出線１９の外径とほぼ同じに設定される。引出線１９は、端子ボックス１８から引き出されて、長穴６６の第２壁部２４側の部分に通され、そのまま、持上壁部６４側の長穴６６の部分から出る。このようにして、引出線１９は、長穴６６を介して切込持上部３６によって保持される。
【００４２】
第２梱包部４０において、第１壁部４２の長辺方向の両端部は、それぞれ、端壁部７０，７１とその先端の底面部７２，７３と、底面部７２，７３の最先端の凸部７４，７５を含んで構成される。また、第２梱包部４０の第２壁部４４には、凸部７４，７５が嵌りこむ大きさのスリット７６，７７が設けられる。側壁部４６の長辺方向の両端部には、それぞれ補助壁部８０，８１が接続される。折り曲げ成形と係止の仕方は第１梱包部２０の場合と同様であるので、詳細な説明を省略する。
【００４３】
上記構成の作用効果を図５、図６を用いて説明する。図５は、梱包済み太陽電池モジュール１０を、出荷等のために搬送装置１００を用いて搬送する場合を示す図である。搬送装置１００は、搬送台１０２の上に所定の間隔で回転自在に保持された複数のローラ１０４を、図示されていない駆動装置で図５に示す回転矢印の方向に回転させ、ローラ１０４の上に載せられた搬送物を白抜き矢印の方向に搬送する装置である。
【００４４】
梱包済み太陽電池モジュール１０を搬送装置１００で搬送するときは、第２主面側に配置された端子ボックス１８が張り出しているので、第１主面側をローラ１０４に向かい合うようにして載せられる。ここで、第１梱包部２０が搬送の上流側、第２梱包部４０が搬送の下流側となるようにする。第１梱包部２０の第１壁部２２を斜線で示した。
【００４５】
図５には、梱包済み太陽電池モジュール１０の他に、比較のため、従来技術の梱包済み太陽電池モジュール１１０を示した。従来技術の梱包済み太陽電池モジュール１１０が梱包済み太陽電池モジュール１０と異なる点は、第１梱包部１１２である。第２梱包部４０は、梱包済み太陽電池モジュール１０の第２梱包部４０と同じであるので、同じ符号を用いた。第１梱包部１１２は、梱包済み太陽電池モジュール１０の第１梱包部２０と異なり、第１壁部１１４の自由端側の長辺が曲線形状でなく真直ぐな直線形状を有する。梱包済み太陽電池モジュール１１０も第１主面側をローラ１０４に向かい合うようにしてローラ１０４の上に載せられる。梱包済み太陽電池モジュール１１０の第１梱包部１１２の第１壁部１１４を斜線で示した。
【００４６】
梱包済み太陽電池モジュール１０と従来技術の梱包済み太陽電池モジュール１１０をローラ１０４に載せて搬送すると、梱包済み太陽電池モジュール１０は順調に支障なく搬送されるが、従来技術の梱包済み太陽電池モジュール１１０は、第１梱包部１１２の第１壁部１１４の自由端側の長辺がローラ１０４に当たって、太陽電池モジュール１１０から第１梱包部１１２が脱落する恐れがある。第１梱包部１１２における第１壁部１１４の自由端側の長辺がローラ１０４に当るのは、自由端側の長辺がローラ１０４側に垂れやすいからである。
【００４７】
図６はその様子を示す図で、図６（ａ）は図５のＡ−Ａ線に沿った断面図、（ｂ）は図５のＢ−Ｂ線に沿った断面図である。
【００４８】
図６（ａ）に示すように、従来技術の梱包済み太陽電池モジュール１１０においては、第１梱包部１１２の第１壁部１１４の自由端側がローラ１０４側に垂れ、垂れた先端部がローラ１０４に向かい合うので、ローラ１０４に当たってそれ以上搬送方向に進めず、太陽電池モジュール１１０から第１梱包部１１２が脱落する恐れがある。第２梱包部４０の第１壁部４２の自由端も自重等でローラ１０４側に垂れるが、ローラ１０４に向かい合わずに、ローラ１０４の回転で平坦側に戻される。したがって、第２梱包部４０の第１壁部４４と第１梱包部１１２の第１壁部１１４が同じ形状であっても、ローラ１０４に引っかかる可能性のあるのは、搬送の上流側に配置される第１梱包部１１２における第１壁部１１４の自由端側の長辺である。
【００４９】
梱包済み太陽電池モジュール１０の場合は、搬送の上流側に配置される第１梱包部２０の第１壁部２４は、自由端側の長辺が曲線形状を有し、長辺の中央部の幅寸法Ｗ1が端部側の幅寸法Ｗ0よりも小さく設定される。そこで、図６（ｂ）に示すように、第１梱包部２０の第１壁部２４の自由端側の長辺の自由端の先端における垂れ量が図６（ａ）に比べて小さくなり、ローラ１０４に当たらない。さらに図５では図示を省略したが、第１壁部２４の自由端側の長辺の両端部の角部に適当な丸みが設けられるので、そこでのローラ１０４の引っ掛かりの発生を抑制できる。このように、梱包済み太陽電池モジュール１０の構成によれば、搬送装置１００によって良好に搬送することができる。
【００５０】
上記では、搬送装置として回転するローラを用いるものを述べたが、これは説明のための例示であって、第１壁部の自由端側の長辺が引っかかる可能性のある搬送構造の搬送装置にも適用可能である。例えば、複数のベルトコンベアで構成される搬送装置においては、隣接するベルトコンベアの間で第１壁部が引っかかる可能性があり、これにも本発明は適用可能である。
【００５１】
本実施の形態では、長方形平面形状の太陽電池モジュール１２の向かい合う１対の長辺に、第１梱包部及び第２梱包部を設ける構造とした。これに代えて、あるいはこれに加えて、太陽電池モジュール１２の向かい合う一対の短辺に２つの梱包部を設ける構成としてもよい。
【００５２】
本実施の形態では、図１に示すように、太陽電池モジュール１２の向かい合う辺の一方に曲線形状を有する第１梱包部２０を配置し、他方に曲線形状を有さない第２梱包部４０を配置した。本実施の形態の変形例として、例えば、図７に示すように、太陽電池モジュール１０の向かい合う両側の辺に、曲線形状を有する第１梱包部２０と第２梱包部９０を配置してもよい。図７の第２梱包部９０は、第１梱包部２０と同様に、真直ぐな長辺９２と、曲線形状を有する長辺９４を含み、角部９６，９７に適当な丸みが設けられる。このように、太陽電池モジュール１２の向かい合う両側の辺に曲線形状を有する梱包部を設けることで、梱包済み太陽電池モジュール１０の搬送方向に関係なく、ローラでの搬送時の梱包部の脱落を防ぐことができる。
【００５３】
この第２梱包部９０は、第１梱包部２０と全く同じものを用いることができる。これによって、梱包部の種類を１つにできる。なお、その場合は、図２、図３で説明した切込持上部３６も第２梱包部９０に設けられるが、端子ボックス１８からの引出線１９が第１梱包部２０の切込持上部３６に保持されるときは、第２梱包部９０の切込持上部３６は用いられない。
【符号の説明】
【００５４】
１０  梱包済み太陽電池モジュール、１２  （梱包されていない）太陽電池モジュール、１３  梱包材、１４  太陽電池セル、１６  フレーム、１８  端子ボックス、１９  引出線、２０，９０  第１梱包部、２２，４２  第１壁部、２４，４４  第２壁部、２６，４６  側壁部、２８，９２  （真直ぐな）長辺、３０，９４  （曲線状の）長辺、３２，３３，９６，９７  角部、３４，３５  係止部、３６  切込持上部、４０  第２梱包部、５０，５１，７０，７１  端壁部、５２，５３，７２，７３  底面部、５４，５５，７４，７５  凸部、５６，５７，７６，７７  スリット、６０，６１，８０，８１  補助壁部、６２  天井壁部、６４  持上壁部、６６  長穴、１００  搬送装置、１０２  搬送台、１０４  ローラ、１１０  （従来技術の）太陽電池モジュール、１１２  （従来技術の）第１梱包部、１１４  （従来技術の）第１壁部。
【図１】
0006414431.tif 000002
【図２】
0006414431.tif 000003
【図３】
0006414431.tif 000004
【図４】
0006414431.tif 000005
【図５】
0006414431.tif 000006
【図６】
0006414431.tif 000007
【図７】
0006414431.tif 000008